(57)【要約】      （修正有）【課題】全く煩わしさを感じることなく携帯でき、コンパクトな形状のスマートフォンなどの携帯情報端末用のスタンドとしても使用できる携帯情報端末用スタンド兼用カードケースを提供する。【解決手段】カードを収容する本体部１と蓋部２とがヒンジ部を介して開閉自在に構成されたカードケースであって、本体部１及び蓋部２と係合して、本体部１に対する蓋部２の開閉位置を一定位置に固定することができる開閉位置固定手段を有する。【選択図】図１
0003199547.tif 000002
【実用新案登録請求の範囲】
【請求項１】
カードを収容する本体部と蓋部とがヒンジ部を介して開閉自在に構成されたカードケースであって、
前記本体部及び前記蓋部と係合して、前記本体部に対する前記蓋部の開閉位置を一定位置に固定することができる開閉位置固定手段を有することを特徴とする携帯情報端末用スタンド兼用カードケース。
【請求項２】
前記開閉位置固定手段は、所定形状を有する針金又はプラスチックから構成されることを特徴とする請求項１に記載の携帯情報端末用スタンド兼用カードケース。
【請求項３】
前記本体部は、各側面において前記開閉位置固定手段である針金の各先端部を挿入可能な係合穴を有していることを特徴とする請求項２に記載の携帯情報端末用スタンド兼用カードケース。
【請求項４】
前記本体部は、各側面の異なる箇所に複数の係合穴を有していることを特徴とする請求項３に記載の携帯情報端末用スタンド兼用カードケース。
【請求項５】
前記蓋部は、閉じた状態で前記本体部の側面と係合可能なフック部を有しており、当該フック部は携帯情報端末の上端を保持可能であることを特徴とする請求項１〜４のいずれか１項に記載の携帯情報端末用スタンド兼用カードケース。
【考案の詳細な説明】
【技術分野】
【０００１】
本考案は、名刺などを収容するカードケースでありながら、スマートフォンなどの携帯情報端末用のスタンドとしても使用できる携帯情報端末用スタンド兼用カードケースに関するものである。
【背景技術】
【０００２】
スマートフォンは、従来の携帯電話の機能に加えて、パーソナルコンピュータと同等のＯＳ（オペレーティングシステム）の搭載によりインターネット接続やアプリケーションソフトウェアの利用といった高度な機能を有する携帯情報端末である。
通常、ユーザはスマートフォンを片手又は両手に持って操作するが、インターネット閲覧、アプリケーションソフトウェアの利用、動画像・音楽コンテンツの視聴などを長時間行う際には、手持ちではなく卓上のスタンドなどにスマートフォンを固定して利用したいというニーズがあり、様々な形態のスマートフォン用スタンドが市販されている。
【０００３】
一般的なスマートフォン用スタンドは、実用新案登録第３１７４４３３号公報の図１や実用新案登録第３１７８３２３号公報の図１に示されているように、軽金属やプラスチックなどの素材を用いた簡易な構成で、卓上面に対して一定角度の傾きなすスマートフォン保持面を形成し、この保持面にスマートフォンを載せて固定できるようになっている。
ユーザは、スマートフォンを手で持つことなく動画像・音楽コンテンツの視聴などをしたり、あるいは片手で操作しながらインターネット閲覧やアプリケーションソフトウェアの利用を行ったりすることができる。
【考案の概要】
【考案が解決しようとする課題】
【０００４】
しかしながら、実用新案登録第３１７４４３３号公報の図１や実用新案登録第３１７８３２３号公報の図１に示されている従来のスマートフォン用スタンドは、かさばる形状を有しており、バッグなどに収納して携帯するには不向きであった。スタンドを折り畳み式にしてコンパクト化するなどの工夫は可能であるが、スマートフォンと同等かそれより寸法の大きいスタンドをスマートフォンとともに持ち歩くのは煩わしさが感じられていた。
そこで、本考案は、全く煩わしさを感じることなく携帯できるコンパクトな形状のスマートフォン用スタンドを提供しようとするものである。
【課題を解決するための手段】
【０００５】
上記課題に鑑みて鋭意研究の結果、本考案者は、名刺や各種カード類を収納するハードタイプの蓋開閉式カードケースに着目し、このカードケースの蓋部を半開きにした状態でスマートフォン等の携帯情報端末を保持することでスタンドの役割を果たすことができることに想到し、本考案を成すに至った。
【０００６】
すなわち、本考案は、カードを収容する本体部と蓋部とがヒンジ部を介して開閉自在に構成されたカードケースであって、前記本体部及び前記蓋部と係合して、前記本体部に対する前記蓋部の開閉位置を一定位置に固定することができる開閉位置固定手段を有することを特徴とする携帯情報端末用スタンド兼用カードケースを提供するものである。
【０００７】
本考案の携帯情報端末用スタンド兼用カードケースにおいて、前記開閉位置固定手段は、所定形状を有する針金又はプラスチックから構成されることを特徴とする。
軽量、コンパクトで扱いやすい針金や形状保持プラスチックを用いることにより、簡易な構成で開閉位置固定手段を実現することができる。
【０００８】
本考案の携帯情報端末用スタンド兼用カードケースにおいて、前記本体部は、各側面において前記開閉位置固定手段である針金の各先端部を挿入可能な係合穴を有していることを特徴とする。
これにより、カードケース本体部に大幅な形態変更を施すことなく、本体部と開閉位置固定手段との係合が可能となる。
【０００９】
本考案の携帯情報端末用スタンド兼用カードケースにおいて、前記本体部は、各側面の異なる箇所に複数の係合穴を有していることを特徴とする。
このように本体部と開閉位置固定手段である針金の各先端部との係合位置を複数個所つくることで、ユーザ所望の傾き角度の携帯情報端末用スタンドとなり得る。
【００１０】
本考案の携帯情報端末用スタンド兼用カードケースにおいて、前記蓋部は、閉じた状態で前記本体部の側面と係合可能なフック部を有しており、当該フック部は携帯情報端末の上端を保持可能であることを特徴とする。
このフック部は従来のカードケースにおいても広く採用されている構成であり、その構成を変更することなく、スタンドとして利用する際の携帯情報端末の上端を保持する役割を担わせることが可能である。
【考案の効果】
【００１１】
以上、説明したように、本考案の携帯情報端末用スタンド兼用カードケースは、名刺や各種カード類を収納するハードタイプの蓋開閉式カードケースでありながら、その蓋部を半開きにした状態で開閉位置を固定することにより、スマートフォン等の携帯情報端末を保持することでスタンドの役割を果たすことができるものである。
これをもって、全く煩わしさを感じることなく携帯できるコンパクトな形状のスマートフォン用スタンドが提供される。
【図面の簡単な説明】
【００１２】
【図１】本考案の一実施形態にかかる携帯情報端末用スタンド兼用カードケースの全体構成を概略的に示す図である。
【図２】本考案の一実施形態にかかる携帯情報端末用スタンド兼用カードケースにおいて用いる開閉位置固定部材の構成を概略的に示す図である。
【図３】本考案の一実施形態にかかる携帯情報端末用スタンド兼用カードケースにおいて蓋部を本体部から開き、開閉位置固定部材を用いて一定の開閉位置を保った状態を概略的に示す図である。
【図４】本考案の一実施形態にかかる携帯情報端末用スタンド兼用カードケースにおいて、蓋部を本体部から開き、開閉位置固定部材を用いて一定の開閉位置を保った状態で携帯情報端末（本例ではスマートフォン）を保持している状態を概略的に示す図である。
【図５】本考案の一実施形態にかかる携帯情報端末用スタンド兼用カードケースにおいて、名刺や各種カード類及び、開閉位置固定部材を内部に収納した状態を概略的に示す図である。
【考案を実施するための形態】
【００１３】
以下、添付図面を参照しながら、本考案の携帯情報端末用スタンド兼用カードケースを実施するための最良形態を詳細に説明する。図１〜図５は、本考案の実施の形態を例示する図であり、これらの図において、同一の符号を付した部分は同一物を表わし、基本的な構成および機能は同じであるものとする。
【００１４】
[第１実施形態]
図１は、本考案の一実施形態にかかる携帯情報端末用スタンド兼用カードケースの全体構成を概略的に示す図である。
図１において、本実施形態の携帯情報端末用スタンド兼用カードケースは、本体部１と蓋部２とから構成されている。本体部１と蓋部２は、図示しないヒンジ部（後述）によって蝶番状に接続されており、蓋部２が本体部１に対して開閉自在となっている。
蓋部２のヒンジ部と離れた端には本体部１の側面と係合可能なフック部４を設けている。フック部４は、蓋部２が本体部１に対して完全に閉じた状態において、本体部１の側面と係合し、一定の力で固定されるように構成されている。
【００１５】
図２は、本考案の一実施形態にかかる携帯情報端末用スタンド兼用カードケースにおいて用いる開閉位置固定部材の構成を概略的に示す図である。
図２に示す開閉位置固定部材５は、典型的には針金を折り曲げて構成されるが、一定の剛性を保持できる他の素材、例えば形状保持プラスチックなどを用いてもよい。
図２に示すように、開閉位置固定部材５は、全体として略コの字形状を有しており、その中間の折れ曲がり部と先端部において凸状部を有している。これらが各々、本体部１及び蓋部２と係合するための蓋部係合部５ａ及び本体部係合部５ｂを構成している（後述）。
【００１６】
図３は、本考案の一実施形態にかかる携帯情報端末用スタンド兼用カードケースにおいて、蓋部を本体部から開き、開閉位置固定部材を用いて一定の開閉位置を保った状態を概略的に示す図である。
図３において、前述したように本体部１と蓋部２とはヒンジ部３によって蝶番状に開閉自在に接続されている。また、本体部１の左右側面には、それぞれ開閉位置固定部材５の先端部が係合するための係合穴６が構成されている。本実施形態では、本体部１の左右側面に各３個の係合穴６を形成しているが、この構成に限定されることはなく、所望の開閉位置で固定できるよう適当な箇所に係合穴６を設ければよい。
【００１７】
図３に示すように、開閉位置固定部材５の蓋部係合部５ａは、左右両側の凸状部の間に蓋部２を挟み込む形で蓋部２と係合し、本体部係合部５ｂは、左右両側の凸状部の先端部が本体部１の左右側面の係合穴６のいずれかに挿入される形で本体部１と係合している。
この状態で、蓋部２の本体部１に対する開閉位置は固定されることとなる。
【００１８】
図４は、本考案の一実施形態にかかる携帯情報端末用スタンド兼用カードケースにおいて、蓋部を本体部から開き、開閉位置固定部材を用いて一定の開閉位置を保った状態で携帯情報端末（本例ではスマートフォン）を保持している状態を概略的に示す図である。
図４に示すように、長辺を水平方向にした状態の携帯情報端末７の下側縁を蓋部２のフック部４と係合させ、上側縁を本体部１の上面で支持することで、携帯情報端末７を保持することができる。
この状態で、ユーザは、フリーハンドで動画像・音楽コンテンツの視聴などをしたり、あるいは片手で携帯情報端末７を操作しながらインターネット閲覧やアプリケーションソフトウェアの利用を行ったりすることができる。
【００１９】
図５は、本考案の一実施形態にかかる携帯情報端末用スタンド兼用カードケースにおいて、名刺や各種カード類８及び開閉位置固定部材５を内部に収納した状態を概略的に示す図である。
図５に示すように、開閉位置固定部材５は本体部１の内部に収納が可能である。尚、開閉位置固定部材５を針金や形状保持プラスチックなどの可撓性材料で構成すれば、撓ませて本体部１の内部に収納することも可能である。
このように、本実施形態の携帯情報端末用スタンド兼用カードケースは、上記の従来のスマートフォン用スタンドのようにかさばることがなく、通常のカードケースと同等の携帯性を有するので、ユーザにとっては大変利便性が高いものである。
【００２０】
以上、本発明の携帯情報端末用スタンド兼用カードケースについて、添付図面を参照しながら具体的な実施の形態を示して説明したが、本発明はこれらに限定されるものではない。当業者であれば、本発明の要旨を逸脱しない範囲内において、上記各実施形態におけるカードケース本体やヒンジ機構、開閉位置固定部材などの構成及び機能に様々な変更・改良を加えることが可能である。
【産業上の利用可能性】
【００２１】
本考案の携帯情報端末用スタンド兼用カードケースは、名刺や各種カード類を収納するハードタイプの蓋開閉式カードケースにおいて、開閉位置固定部材とこれに対する係合穴を備えたものとして、広く産業上の利用に供することができるものである。
【符号の説明】
【００２２】
１  本体部
２  蓋部
３  ヒンジ部
４  フック部
５  開閉位置固定部材
５ａ  蓋部係合部
５ｂ  本体部係合部
６  係合穴
７  携帯情報端末
８  名刺や各種カード類
【図１】
0003199547.tif 000003
【図２】
0003199547.tif 000004
【図３】
0003199547.tif 000005
【図４】
0003199547.tif 000006
【図５】
0003199547.tif 000007